(57)【要約】【課題】全自動洗濯機の回転翼の空転を減少させ洗濯機の経済運転を図り節水省エネ環境を護り洗濯水の再利用すヽぎ水の再使用を図る【課題を解決するための手段】洗濯機の回転翼の平面積の増加に対応する装置としきれいな水と汚れた水を別々とさせ注排水すヽぎ操作をするため開発した低水位排水装置を介し洗濯機水槽の排水パイプと低水位排水パイプを直結させ取入バルプを装備し経済運転を図り乍ら現在只排水してゐるすヽぎ水の排水を脱水機能を有する脱水槽へ取入れ再使用させ節水を図り省エネとさせ回転翼の空転を減少環境を護り洗濯水の再使用すヽぎ水の再使用を図る【選択図】図１
2011000418.tif 000002
【特許請求の範囲】
【請求項１】
全自動洗濯機は毎回現在洗濯水すヽぎ水を排水してゐるこれは重要な資源であり環境を護り省エネを図るため先づ経済運転を図るため第２の小型全自動洗濯機又は脱水機能を有する脱水槽を全自動洗濯機に接合又は離れた場所でも連動作動操作を可能とするため必要な装置に配線配管を施し洗濯水の再使用すヽぎ水の再利用を図る事を可能とする洗濯装置
【請求項２】
洗濯機上方に清水タンク（復数可）を（屋外不可）を設置する水道栓ようの水を貯水するためタンクに注水止水装置を装備洗濯機に供給するパイプにバルプを装備供給パイプを増加排水口も増加発明に依る低水位排水装置を増加して洗濯機水槽の枯渇を防ぎ洗濯機の排水パイプと装置の取入バイプを直結させ取入バルプを装備する更に第２供給パイプに清水の供給を加減する供給加減バルプを装備大小様々な洗濯機に排水口を１つ使用するしない事を任意に選択させるため個有の排水バルプの外に
2011000418.tif 000005
容される低水位として設定し回転翼の空転を減少節水省エネＣｏ２の削減を図る
【請求項３】
清水タンクより洗濯機に対し大量の水を拡散減圧させ供給し浮遊する洗濯物（アルキメデスの原理）を利用洗濯機水槽上部にきれいな水の壁を形成させ水槽下部に汚れた水の壁を形成させ低水位（シヤルレの法則）を取入れ低水位として洗濯機水槽の排水パイプを介し全自動洗濯機の経済運を図り乍ら従来の溢水口その他よりのすヽぎ水の排水をする事なく低水位排水装置を介し脱水機能を有する脱水槽又は小型全自動洗濯機へ低水位の高さとして供給する供給されたすヽぎ水は脱水槽又は洗濯機で再利用され排水される
【請求項４】
発明に依る低水位排水装置は全自動洗濯機の排水パイプと装置の取入パイプを直結させ取入バルプを装備全自動洗濯機の設定した低水位の高さとし脱水槽又は第２の洗濯機へ供給させるそのため個有の排水バルプの外に新に排水バルプを装備洗濯操作に全自動洗濯機として操作する事もしない事も任意に選択する事を可能とする
【請求項５】
二槽式洗濯機上方にタンクを設け水道栓よりの水を貯水させタンクに注水止水装置を装備し洗濯機に供給するパイプにバルプを装備し洗濯機に供給するものとし洗濯機のすヽぎ操作にきれいな水と汚れた水を別々とさせ低水位として加速排水させるため洗濯水槽の排水パイプと低水位排水装置の取入パイプを直結させ取入バルプを装備し洗濯機の設定した低水位の高さとしすヽぎ水の排水を経済運転をさせ乍ら装置を介し自体の保有する脱水槽へ取入れ再利用させ回転翼の空転の減少させ節水省エネ効果を図り温室効果を取り入る
【請求項６】
回転翼の回転  回転停止  排水続行  注水続行を注排水すヽぎ操作に取入る
【発明の詳細な説明】
【技術分野】
【０００１】本発明は現在全自動洗濯機は毎回洗濯水すヽぎ水を排水されてゐるこれは昔と異の貴重な資源と思はれる洗濯機は機械であり機械には経済運転が要求され結果を求められる小型の全自動洗濯機又は脱水機能を有する脱水槽を全自動洗濯機に接合又は離れた場所でも連動作動を可能とするため配線配管を施し（請求項１、２、３）を取入れ全自動洗濯機の経済運転をしながら又させ乍ら排水するすヽぎ水を第２の洗濯機脱水槽へ供給回転翼の空転を減少させ節水洗剤の節約省エネを図りＣｏ２を削減させ温室ガス効果を図るものとする
【背景技術】
【０００２】出願人は洗濯機から排水されるすヽぎ水の濃度差を利用し再利用を図るため槽を増加三槽式洗濯機を考案したがその設置場所の確保を難くし二槽式との話し合いも受入れられないものであり水も軽視される時代でもあったこれとは別に出願人は横須賀海軍機関学校で先端技術を教へられ分解組立操作に研究を重ねる
【特許文献１】  実公昭  ５８−０１７５９６号公報
【特許文献２】  実公昭  ６３−０３７０３３号公報
【発明の開示】
【発明が解決しようとする課題】
【０００３】洗濯機で洗濯物を洗濯し洗濯物をすヽぐ時水道栓よりのすヽぎ水を洗濯機水槽上部から供給し回転翼をモーターを駆動させベルトを介し回転させきれいな水と汚れた水を混合させ溢水口から排水させるものであった混合させないで洗濯機水槽下部から排水バルプを開いて排水パイプからの排水を指向した前記溢水口からの排水は回転翼の空転を増大させ洗濯物を遊動回転させ衣類の熱を貯へてくれる大切な羽毛をむしり取りゴミ取りを設け回転流を低下させるものであり溢水口は水槽上部にありその洗濯機の体積
2011000418.tif 000003
翼を停止させるときれいな水はそのまヽ排水されるものでもあったそれを解決しようと洗濯機上方に貯水タンクを設け貯水しタンクに注水止水装置を装備し水道栓よりの水を取入れ洗濯機に供給するパイプに逆上弁を装備し水道栓よりのパイプに直結し併用バルプを装備すヽぎ水の排水を排水パイプから排水する注排水すヽぎを試みたが忽ち水槽を枯渇させるものであった
【課題を解決するための手段】
【０００４】低水位排水装置を開発したこれを利用し第２洗濯機へすヽぎ水の排水を供給させ再利用を図るものとし先願とは別に住宅事情を考りよし全自動洗濯機に接合又は離れた場所でも連動作動を可能とするため全自動洗濯機の必要な装置に配線配管を施しすヽぎ水の排水を再使用を可能とし第２洗濯機は再利用したすヽぎ水を自体の水位を確保し低水位排水装置を装備し全自動洗濯機の水位と同じ高さとし排水パイプを介し装置を介して排水されるこのため個有の排水バルプの外に全自動洗濯機も第２洗濯機
2011000418.tif 000004
備任意に全自動洗濯とする事もしない事も選択出来るものとするその時第２洗濯機も別途洗濯する事もしない事も選択する
【発明が解決しようとする課題】
【０００５】前記の如く全自動洗濯機の経済運転を図り乍ら第２洗濯機へすヽぎ水の排水を供給するものとしたけれど更にすヽぎ水を汚れた水と別々とし加速排水させ回転翼の空転の減少を指向した
【課題を解決するための手段】
【０００６】注水量と排水量を同一とするため貯水タンクより洗濯機に清水を供給するパイプの大きさと洗濯機の排水パイプの大きさを同一とし洗濯機に供給する大量の水を拡散減圧させ浮遊する選択物（アルキメデスの原理）を利用水槽上部にきれいな水の壁を形成させ下部に汚れた水の壁を形成させ許容される低水位（シヤルレの法則）を取り入れ加速排水させ従来の溢水口又は混合排水と異り洗濯物の遊動回転回転翼の空転を大きく減少させ節水に依り環境を護る事を目的とした本出願は回転翼の空転の減少を図り遊動回転に依る衣類の損傷を減少させ洗濯水の再使用すヽぎ水の再利用を指向する
【発明が解決しようとする課題】
【０００７】回転翼の左右の僅かな動きは平面積の増加に依るものと思考される洗濯効果の減退させるものとして評価されてゐる大小様々な洗濯機を統一しての解決は難題であった併し洗濯には回転翼を利用した洗濯水の回転流と洗濯板効果も考へられる
【課題を解決するための手段】
【０００８】清水タンクを増加し排水口も増加し低水位排水装置も２つとしすヽぎ水の排水を許容される低水位として汚れた水を加速排水させ回転翼の起伏の大を是正して洗濯板効果を取入る洗濯水の回転流とし洗濯機の大小その他に依り排水口を１つ使用する事も２つ使用する事も任意に選択する事を可能とする
【発明が解決しようとする課題】
【０００９】洗濯機は洗濯機械を略した称号であり今は機械としての性能とし操作させるものとし幾多の難題を直面してゐるものと思考される温暖化に対する節水とし洗濯機の経済運転を図る事を目的とする
【課題を解決するための手段】
【００１０】低水位排水装置を開発したそれに依り洗濯機上方に設置した清水タンクより大量の水を拡散供給させきれいな水と汚れた水を別々とし洗濯機水槽を枯渇を防ぎ低水位排水装置を介し加速排水させ回転翼の空転を減少させ節水を図り省エネ装置として環境を護り経済運転をさせ乍ら排水する水を現在只排水してゐるそれも毎回である洗濯水すヽぎ水の排水を再利用を可能とする脱水槽へ取入れられた洗濯物の洗濯水の脱水に対し全自動洗濯機は回転翼を回転させ乍らすヽぎ操作は行はれてゐるが脱水槽の場合脱水停と脱水停止の連動作動を停止を長くさせ洗濯物をいためる事なく洗濯機のすヽぎに対し半減させる事を可能と省エネ節水を大きく図る１例として脱水槽は洗面台の下部を利用車を装備使用する時引出し終れば格納する事も出来る小型の全自動洗濯機も可能であり選択使用する現在只排水してゐるすヽぎ水この様に利用できるものを排水するのがよいのか利用するのがよいのかこれは識者の定めるものとされる京都議定書に依り節水を図り環境を護り前記に依り回転翼の回転もすヽぎ水も半減させる事を可能とさせる多少の不便は致し方ないものと思はれる洗面台は大型であり小型は底上げするものとする
【発明の効果】
【００１１】きれいな水と汚れた水を混合させうすめて排水するためモーターを駆動させベルトを介し回転翼を回転させ熱を貯へくれる大切な羽毛をむしり取り回転を停止すればきれいな水をそのまヽ排水させるため回転翼の回転は出来ない装置でありそのため回転翼の空転は増大させるものであった【００１２】従来の洗濯物のすヽぎ操作は洗濯機水槽の体積分の汚れた水をうすめ溢水口から排水させるため発明はこれを改善するため低水位排水装置を開発した現在只排水してゐる洗濯水すヽぎ水を再利用再使用も可能とさせ全自動洗濯機の経済運転を図り乍ら経済運転をそこねる事なく現在只排水されてるすヽぎ水を脱水槽へ取入脱水槽内の洗濯物の洗濯水を脱水する事を図れるものとするこの操作に対し回転翼は常時回転させ乍ら洗濯水を排水してゐるのに対し脱水槽を時々脱水させる連動作動装置を取入れ省エネを図る事も可能とする再利用は温暖果に対し環境を護り省エネ効果を果すものと思はれる
（二槽式洗濯機について述べる）
２槽式洗濯機も全自動洗濯機と同じくすヽぎ水の排水は洗濯機の排水パイプを介し低水位として低水位排水装置を使用自体の保有する脱水槽へすヽぎ水の排水を取入る装置としそれも洗濯機の経済運転をそこねる事なく再使用するものとするたとへば脱水槽へ取入る高さを低水位の高さより高くする事、また供給される清水よりも排水させるパイプを細くする事も太くする事もさけるべきである低水位装置のパイプの中の水位を調整する流通排水させる水は洗濯機水槽の水圧を利用するものでありパイプを大きくする事は汚れを水の排速度を遅くさせる事が考へられるこれは全自動洗濯機も同じである共にこれはさけなければならない経済運転をさせ乍ら再使用させ只排水するすヽぎ水を再使用出来る装置と操作する省エネはこの様にして図れるものを求めてゐるものと思はれる【００１３】回転翼の回転  回転停止  排水続行  注水続行について述べる
回転翼の空転の減少を図るため洗濯した洗濯物のすヽぎ操作に対し取入れを図る事を提言する使用される低水位を定めその位置からの排水時間をはかり回転翼の回転時間を定める清水タンクから洗濯機に供給するパイプに開閉するバルプの外に供給を加減するため電磁バルプでなく手動操作するバルプを装備しその把手に目印をつけ常時そのバルプの開閉の度合を維持させ開閉操作を行はず操作を容易とする低水位から排水口までの汚れた水を排水する時間を回転翼の停止時間とする停止させる事に依ってモーターの回転翼を止動させ省エネ空転を減少させる停止中も注水排水は行はれておりむしろ重なり合った洗濯物からきれいなすヽぎ水はその濃度差を利用し数回に使用上から下へ使用する事が出来るこの様に回転翼も注排水すヽぎに対しうすめて排水する場合と異り１回転を数回転とする事を可能とさせる【００１４】全自動洗濯機はスイッチを入れる丈けで洗濯から脱水迄出来便利である本考案は経済運転を取り入れ回転翼の空転を減少させ節水省エネを図り経済運転をさせ乍ら排水するすヽぎ水を第２の洗濯機又は脱水機能を有する脱水槽へ現在只排水してゐるすヽぎ水を再利用させ節水を図り環境を護り省エネを可能とする第２の装備を洗濯機とすれば白黒別々とか汚れのひどい物とか別々に同時洗濯する事が出来脱水槽とした時洗濯水の脱水丈に何れもすヽぎ水の再利用する事が出来るこれは使用する者に依って選択する只脱水槽を連動作動操作とする事に依り洗濯物を損傷を防ぎ省エネを図る事を可能とする事が考へられる
［本考案の一実施例を図面に基いて説明する］【００１５】洗濯の場合洗濯物を洗濯機（２）に洗剤を適量に入れ清水タンク（１）の第１供給パイプ（４）の供給バルプ（５）を開き供給（３９）更に第２供給パイプ（６）の供給加減バルプ（７）を開き供給バルプ（８）を開いて供給（４０）する供給加減バルプ（７）は常時調整された開度とし開いたまヽとして通常開閉操作は行はないそのため電磁バルプは使用しない洗濯水位になったら現在の洗濯機は自動作動停止バルプは閉さヽれるモーター（９）を駆動ベルト（１０）を介し回転翼（１１）を回転させ洗濯を開始する終ったらモーター（９）は停止回転翼（１１）は止動する洗濯水を排水するため第１排水パイプ（１２）の個有の排水バルプ（１３）を開き新に設けた排水バルプ（１４）を開き排水する更に第２排水パイプ（１５）の個有の排水バルプ（１６）を開き新に設けた排水バルプ（１７）を開き排水する【００１６】洗濯物をすヽぐ時洗濯した洗濯物を２つに分け１つは洗濯機（２）に他の１つは第２の洗濯機又は脱水機能を持つ脱水槽（３１）へ移し洗濯水を脱水（２７）させる脱水した洗濯物を洗濯機（２）へ移し洗濯した洗濯物を脱水槽（３１）へ入れ脱水装置（２７）に脱水させる第２洗濯機又は脱水槽（３１）は接合又は離れた場所でも連動作動操作を可能とさせるが特に注意しなければならない事は全自動洗濯機（２）の経済運転を図り乍らすヽぎ水の排水を使用させるものでありそのすヽぎ水の取入る高さは低水位（２６）の高さより高くしてはゐけない但し図面（１）は脱水槽（３１）を使用した場合の説明である【００１７】洗濯水排水后洗濯物から洗濯水を脱水してすヽぎ操作をした方が節水となるがこの場合先に脱水槽（３１）で脱水してあり第１供給パイプ（４）の供給バルプ（５）を開いて供給（３９）更に第２供給パイプ（６）供給バルプ（８）を開いて供給（４０）する第２供給パイプ（６）の供給加減バルプ（７）は開いたまヽであり低水位（２６）になったらモーター（９）を駆動回転翼（１１）を回転させすヽぎを開始する第１排水パイプ（１２）の個有の排水バルプ（１３）を開き第１低水位排水装置（１８）の取入バルプ（２２）を開き脱水槽（３１）へ供給（１９）する更に第２排水パイプ（１５）の個有の排水バルプ（１６）を開き第２低水位排水装置（２０）の取入バルプ（２３）を開き第２低水位排水装置（２０）を介し脱水槽（３１）へ供給する（２１）この場合回転翼（１１）は回転流とし加速排水しており回転翼（１１）の空転は供給加減バルプの開度に依って調整されており常時開いたまヽとする脱水槽（３１）へ供給されたすヽぎ水は槽内の洗濯物の洗濯水をうばって排水されるこの時ときたま脱水装置（２７）を作動させ洗濯水を脱水させる事も可能とする洗濯機水槽の水位を低水位（２６）とし回転翼（１１）の空転を減少させ現在只排水してゐるすヽぎ水の排水を全自動洗濯機の（２）経済運転を図り乍ら排水させ更に経済運転をそこねる事なくすヽぎ水の排水を脱水槽（２７）へ又は第２洗濯機へ取入れ京都議定書に依る省エネ環境を護る節水させ回転翼（１１）の空転を減少させる事を可能とする洗濯物の脱水は全自動洗濯機（２）で行はず脱水槽（２７）で行ひ全自動洗濯機（２）すヽぎ水は次の洗濯に使用する事が出来る洗濯物のすヽぎ操作は２つに分け１つは全自動洗濯機（２）で行ひ１つは脱水槽（２７）で連動作動装置とする事に依りすヽぎ水を半減させ回転翼の回転も半減させる省エネを図る【００１８】（二槽式洗濯機の一実施例を図面に基いて説明する）
洗濯の場合洗濯機（２）に洗濯物を入れ適量の洗剤を入れ清水タンク（１）よりの水を供給パイプ（４）の供給バルプ（５）を開いて供給（３９）する洗濯水位になったら供給バルプ（５）を閉さしモーター（９）を駆動ベルト（１０）を介し回転翼（８）を回転させ洗濯を開始する終ったらモーター（６）を止動させ回転翼（１１）は止動する洗濯水を個有の排水バルプ（１３）を開き新しく設けた排水バルプ（１４）を開いて排水する【００１９】洗濯物のすヽぎを行ふ時洗濯した洗濯物を１度に行ふ事も出来るが２つに分けて１つは脱水槽（３１）へ入れ洗濯物から洗濯水を脱水（１７）する供給バルプ（５）を開いて清水を洗濯機（２）供給（３９）する低水位（２６）になったらモーター（９）を駆動装置（２８）の取入バルプ（２２）を開き低水位排水装置（１８）を介し脱水槽（１４）へすヽぎ水の排水を供給するすヽぎ操作は従来は洗濯機水槽上部の溢水口（２５）からモーター（９）を駆動させ回転翼（１１）を回転させ乍らきれいな水と汚れた水を混合させ排水するものであり考案はきれいな水と汚れた水を別々とし洗濯機水槽下部から低水位（２６）として汚れた水を低水位排水装置（１８）を介して加速排水させるだけでなく現在只排水してゐるすヽぎ水を脱水槽（３１）へ取入れ濃度差を利用洗濯物から洗濯水をうばって排水させる事ができそれだけ次のすヽぎの時回転翼（１１）の回転も減少させ溢水口（２５）の時は回転翼（１１）の空転を多くしたが減少させ省エネを図れるものとする時々脱水槽（３１）を連動作動させる装置としすヽぎ効果を図る事も可能とする事もできる
【図面の簡単な説明】
【００２０】
【図１】本発明に係る一実施例を示す断面図である
【図２】二槽式洗濯機の断面図である
【符号の説明】１    清水タンク
２    洗濯機
３    水道栓
４    第１供給パイプ
５    第１供給バルプ
６    第２供給パイプ
７    供給加減バルプ
８    第２供給パイプのバルプ
９    モーター
１０  ベルト
１１  回転翼
１２  第１排水パイプ
１３  第１排水パイプの個有の排水バルプ
１４  第１排水パイプに新に設けた排水バルプ
１５  第２排水パイプ
１６  第２排水パイプの個有の排水バルプ
１７  第２排水パイプに新に設けた排水バルプ
１８  第１低水位排水装置
１９  第１低水位排水装置の給水口
２０  第２低水位排水装置
２１  第２低水位排水装置の給水口
２２  第１低水位排水装置の取入バルプ
２３  第２低水位排水装置の取入バルプ
２４  清水タンクのフロート
２５  洗濯機水槽の溢水口
２６  洗濯機水槽の低水位
２７  脱水槽の脱水装置
２８  第２清水タンクの溢水口
２９  増加された第２清水タンク
３０  脱水槽のモーター
３１  脱水装置の脱水槽
３２  洗濯機の脱水槽
３３  洗濯水の取出バルプ
３４  洗濯水取出タンク
３５  脱水槽へ水道水取入バルプ
３６  第１綜合排水パイプ
３７  第２綜合排水パイプ
３８  洗濯機へ水道水取入バルプ
３９  第１供給パイプの供給
４０  第２供給パイプの供給
４１  洗濯機へ水道栓よりの供給
【図１】
2011000418.tif 000006
【図２】
2011000418.tif 000007